【手続補正書】
【提出日】平成18年6月7日(2006.6.7)
【手続補正１】
【補正対象書類名】明細書
【補正対象項目名】全文
【補正方法】変更
【補正の内容】
【書類名】  明細書
【発明の名称】  パチンコ釘２次元測定冶具
【特許請求の範囲】
【請求項１】  パチンコ盤面上に左右にスライドするスライドレールと、該スライドレールに嵌挿し上下にスライド可能なスライド台に取付けられた回動自在な複合分度盤付きスライド脚とからなる組物ゲージであって、しかもスライドレールと該スライド台とのスライドによって上下・左右方向の計測・調整が同時に行えることを特徴としたパチンコ釘２次元測定冶具。
【請求項２】  該複合分度盤付きスライド脚が、度数目盛りを付した垂直分度盤と水平分度盤とがＴ字状に互いに垂直に連設されており、且ついずれかの分度盤の底部にスライド可能なスライド脚が連設されていることを特徴とする請求項１記載のパチンコ釘２次元測定冶具。
【請求項３】  請求項１記載の組物ゲージを組立て可能とし、透明前面板のみを上部から引き抜いて該組物ゲージをパチンコ盤面上に取付け、パチンコ盤の外枠に固定ベルトで装着することを特徴とする請求項１又は２記載のパチンコ釘２次元測定冶具。
【請求項４】  釘頭に引掛けてスライドレールを一時固定する固定金具であって、該金具が釘頭に引掛ける釘頭フックとそれに連設してスライドレールを挟み抑えるＺ型板材からなることを特徴とする、請求項１〜３のいずれかに記載のパチンコ釘２次元測定冶具。
【発明の詳細な説明】
【０００１】
【発明の属する技術分野】
本発明は、パチンコ盤面上に打ち込まれた釘の角度を測定・調整するためのパチンコ２次元測定冶具に関する。
詳細には、本発明は、スライドレールと複合分度盤付きスライド脚からなる取外し自在で且つ上下・左右方向を同時に角度測定・調整可能な組物ゲージに関するものである。
【０００２】
【従来の技術】
パチンコ遊技場を経営する業者或はパチンコを楽しむ多くのお客様がパチンコ台を選ばず、どの機種でも公平に遊べるような状態とは云えずメーカーから出荷された時点のパチンコ盤面に打ち込まれた釘は適当な打ち方でバラバラになっており遊技台を購入した業者が再度点検調整しなければならなかった。
この調整を専門に行う針師と呼ばれる人が、従来は目と勘を頼りに行い前時代的手法で、この勘を身に付けるまでは長い歳月と努力を要し、それでも正確に釘を修正することは
大変難しく又、折角高価な遊技台を購入しても、その遊技台の性能を十分に発揮させることが出来ないまま終わらせてしまうことが多かった。      【０００３】
また、過去に様々な一般的に角度測定器などと呼ばれるものがあったが、実際の使用に際しては、使いずらいと言わざるを得なかった。
なぜなら、パチンコ盤面上に打ち込まれた釘は、一般的には半径１７〜１８ｃｍ位の円周の中に約２００本近く打ち込まれ、かつ、大小様々な役物、チューリップなどと呼ばれる釘の計測上では障害物となる物が多いからである。
【０００４】
実際にパチンコ盤面上に角度測定器と呼ばれるものを接合して、計測すればその接合面自体、物理的に或る程度の面積と大きさが必要になる。
ところが、先のように狭い所へは、その接合面が入り込めないのである。
従って、一部の釘は計測可能であっても、大部分の釘の計測は不可能を言わざるを得ない。
【０００５】
特開平１０−３００４０４号公報は、パチンコ台釘角度測定器である。この技術においては直線辺４の長さが問題となる。
特開平９−１８２８３２号公報は、パチンコ機の釘角度測定装置である。この技術においては、台座７の大きさが問題である。
特開平９−９４３２６号公報は、パチンコ機の釘角度測定冶具である。
この技術においては遊技盤側当接面及び脚部の大きさが問題となる。遊技盤側当接面７の大きさ、遊技盤側当接面及び脚部の底部の大きさが問題となる。
【０００６】
【発明が解決しようとする課題】
本発明は、パチンコ遊技業者或はお客様にとって有利なパチンコ台が偏らないように多くのお客様に万遍なく楽しんで頂くように経験の浅い管理者でも短時間で技術を収得することができ、パチンコ機に打ち込まれた釘を誰にでも簡単に垂直方向と水平方向を同時に測定修正が出来、パチンコ機の本来の性能を十分発揮できるゲージを開発しようとするものである。
【０００７】
ところで、上記目的を達成するために、本出願人に係る実願登録第３０４２６６３号「固定式パチンコ修正ゲージ」、いわゆる馬蹄形ゲージ等を用いて測定・修正を行ってきた。
しかし、このようなゲージを用いたのでは、一本の釘を修正するのに、上下即ち縦方向を修正した後に、ゲージを持ち替えて、左右即ち水平方向の修正を行わなければならず、持ち替えた後の修正で最初の縦方向の位置が、ずれていないか、再確認しなければならず、決定するまで否応なく修正時間を多く費やすようになっていた。
【０００８】
【課題を解決するための手段】
本発明者は、上記課題を種々検討した結果、パチンコ遊技台の透明前面板を開き、スライドレールと複合分度盤付きスライド脚からなる組物ゲージを適用することにより、取外し自在で且つ上下・左右方向を同時に角度測定・調整可能であることを見出し、本発明を完成するに至った。
【０００９】
即ち、本発明は、以下の通りである。
（１）パチンコ盤面１０上に左右にスライドするスライドレール２と、該スライドレール２に嵌挿し上下にスライド可能なスライド台６に取付けられた回動自在な複合分度盤付きスライド脚９とからなる組物ゲージであって、しかもスライドレール２と該スライド台６とのスライドによって上下・左右方向の計測・調整が同時に行えるパチンコ釘２次元測定冶具を提供する（図１、３−（イ））。また、
（２）該複合分度盤付きスライド脚９が、度数目盛り３１を付した垂直分度盤１３と水
平分度盤７とがＴ字状に互いに垂直に連設されており、且ついずれかの分度盤の底部にスライド可能なスライド脚１６が連設されている点にも特徴を有する（図４−（イ）、（ロ））。また、
【００１０】
（３）（１）記載の組物ゲージを組立て可能とし、透明前面板のみを上部から引き抜いて該組物ゲージをパチンコ盤面１０上に取付け、パチンコ盤の外枠に固定ベルト２４で装着する点にも特徴を有する（図５）。また、
（４）釘頭に引掛けてスライドレール２を一時固定する固定金具２５であって、該金具が釘頭３５に引掛ける釘頭フック２６とそれに連続してスライドレール２を挟み抑えるＺ型板材からなる点にも特徴を有する（図６〜８）。
【００１１】
本発明は、下記の実施の態様をも包含する。
（ｉ）  分度盤に重ねて分度盤と相似の半月状上板３４の周面に、分度盤の度数目盛り３１に対応した位置に角度指示印１５を設けることを特徴とするパチンコ釘２次元測定冶具（図４−（イ）、（ロ））。
（ｉｉ）保持レール３のスリット３３内に上下に移動可能な、挟持リング１４とストッパー１２とを持つ支持稈８によって、それに挟持されたスライド台６上の組物ゲージの高さを安定させたことを特徴とするパチンコ釘２次元測定冶具（図３−（ロ）、（ハ））。
【００１２】
図面に基づき本発明を詳細に説明する。
図１、３に示されるように、本発明のスライドレールと複合分度盤付きスライド脚９からなる組物ゲージをパチンコ盤面１０に挿入すると、左右にスライドするスライドレール２が取付けられており、測定或いは修正しようとする釘の位置まで複合分度盤付きスライド脚９が、図１、図３−（イ）、図４−（イ）では、スライド台６の側部６ｂに複合分度盤付きスライド脚９が取付られている。
そして、複合分度盤付きスライド脚９を構成する２つの分度盤は左右対称になっており、図４−（イ）に示されるように、パチンコ盤面１０の左端の釘を修正する時は左側の複合分度盤付きスライド脚９を使用すれば左端の釘まで修正可能であり、右端の釘に対しては右側に取付けた複合分度盤付きスライド脚９を使用すれば修正できる。
【００１３】
図４−（イ）、（ロ）に示されるように、分度盤の構造は、左右方向、即ち水平方向と上下方向即ち垂直方向が同時に修正出来るように、連結部２２で接続された複合分度盤は、一方の分度盤が水平方向に他方の分度盤は垂直方向に向くように複合分度盤が９０°折り曲げられており、水平分度盤７はスライド台６に蝶ネジ１９等で締められて回動自在であり、角度が決まった時点で固定する。
更に、水平分度盤の基点に蝶ネジ１９等で固定された中央部は同じ材質等で延長され、連結部２２を介して水平分度盤７の一端に接続されて、水平分度盤７の曲面上部中央に角度指示印１５が捺印されている。
【００１４】
上記角度指示印１５を持つ分度盤より小さめの垂直分度盤１３には度数目盛り３１が刻印され、角度指示印１５付き水平分度盤７と中央下部支点で蝶ネジ１９等で結合されており、度数目盛り刻印３１付垂直分度盤は同材質等で中央下部に伸長し、スライド脚１６からなるパチンコ釘測定ゲージに連結している。
該ゲージの下方部の脚部１６はパチンコ釘を測定・修正する釘当接面を構成する。
上記複合分度盤を構成する水平分度盤７と垂直分度盤１３を操作することにより、２次元を同時に測定、或は修正することが可能になる。
【００１５】
【発明の実施の形態】
本発明の実施の形態を図面に基づき更に説明する。
図１は、本発明のスライドレール２と該スライドレール２に嵌挿したスライド台６の側
面部に複合分度盤付きスライド脚９を取付けた組物ゲージを、パチンコ遊技盤のパチンコ透明前面板を開き嵌め込んだ正面図である。
図２は、該組物ゲージを拡大した正面図である。
【００１６】
図１、図４に示されるように、複合分度盤付きスライド脚９をスライド台６に取付けた組物ゲージを保持枠１付きの基台２３上に載せたスライドレール２が左右に滑らかに移動できるようにスライドレール溝４を上下に取付け、該スライドレール２を嵌挿する等により上下にスライドする構造の複合分度盤スライド脚付きスライド台６を設ける。
図１、図４に示されるように、そのスライド台６の両側部に１つの分度盤を９０°回転した形態で互いに一体な複合分度盤スライド脚９付きスライド台６を設ける。
該スライド台６に対して垂直に起こした状態の垂直分度盤１３を蝶ネジ１９等で取付けて、複合分度盤付きスライド脚９が取付られたスライド台６となる。
【００１７】
次に、図１、図３−（ロ）、（ハ）に示されるように、本発明の組物ゲージの高さを均一に確保するために、基台２３上に設けられた本体高さ保持レール溝５に添って左右にスライドする保持レール３を設け、その両端に鉤状の曲部であるスライド部２１を嵌め込み、保持レール溝５の隙間をスライドさせる。
保持レール３の中央に縦長のスリット３３があり、そのスリットは保持レール３を形成している。
図３−（ロ）、（ハ）に示すように、保持レール３中のスリット３３内に上下に移動可能な支持稈８は、挟持リング１４とストッパー１２とを持ち、挟持リング１４とストッパー１２との間に保持レール３を挟むように構成され、前後２個の保持レール３、３内に夫々２個ずつの支持稈８が組物ゲージの高さを安定させている。
【００１８】
本発明の組物ゲージは、任意の大きさの略々正方形等に近い形の基台２３上に組立てられ、該組物ゲージを構成するスライドレール２は、図３−（イ）に示されるように、両端が鉤状に曲がっており、スライドレール溝４の上に乗り、スライドレール溝４の隙間を前後にスライドする。
支持稈８は、パチンコ盤面１０に接して組物ゲージを支え、高さを均一にして安定する機能を持ち、測定或は修正しようとするパチンコ釘９はスライド脚１６により、垂直方向及び水平方向に２次元の測定・修正を同時に行える。
【００１９】
図４−（イ）（ロ）は、本発明の組物ゲージを構成する複合分度盤付きスライド脚の拡大図である。
左右に水平方向にスライドするスライドレール２を挟んで上下にスライドする複合分度盤付きスライド脚９が取り付けられたスライド台６は、上中下３層構造から構成され、その中間層の板厚はスライドレール２をスライドし易いように僅かに厚くなっており、その３層構造のスライド台６はネジ２０で固定されている。
図４−（イ）によると、スライド台６の表面部６ａの両端に水平分度盤７が蝶ネジ１９等で回動自在に取付けられ、該水平分度盤７に度数目盛３１を、その直角方向に垂直分度盤１３の角度指示印１５をスライド台６に取り付けた上板３４（図４−（ロ）に示すように、該上板３４は連結部２２を介して水平分度盤７に接続する）に加印し、垂直分度盤１３の角度指示印とする。
【００２０】
図４−（ロ）に示すように、水平分度盤７と同材質等の平板で該水平分度盤７の中心より任意の寸法の巾で任意の寸法の長さ方向を伸長させた部材の延長線上に水平分度盤より少し大きい垂直分度盤の角度指示印１５を持つ半月形等の上板３４等を設ける。
図４−（ロ）に示すように、水平分度盤７と垂直分度盤１３の角度指示印１５を接続する任意の寸法の巾と長さを持つ長さ方向の連結部２２の板は中央で直角に折曲げてある。
この連結部２２の板の材質は金属でもプラスチック等でもよいが、一体成形で作れば安
価である。
【００２１】
図４−（ロ）に示すように、垂直分度盤１３の角度指示印１５が隠れない程度小さくした垂直分度盤１３を別途作製し、一方、水平分度盤７の半月部に度数目盛３１を刻印し、垂直分度盤１３の角度指示印１５と適合する角度で計測を指示される。
垂直分度盤１３と垂直分度盤１３の角度指示印１５を持つ半月形等の上板３４は蝶ネジ１９等で接続して回動させる。
両分度盤７、１３の表示はアナログ・デジタルを問わない。
【００２２】
図４−（ロ）に示されるように、垂直分度盤１３の中心下部より任意の巾と任意の長さで伸長して、この伸長部にスライド脚１６の上下移動用のスライド枠１８が穿ってある。
該スライド枠１８の内側にスライド脚１６を掴み上下にスライドさせる把手１７を設けたスライド脚１６が上下移動可能なように別途に作られている。
該複合分度盤付きスライド脚９の使用によって、パチンコ釘９に当接して測定又は修正を垂直方向と水平方向を同時に行うことを特徴とする。
【００２３】
図５は、組物ゲージを組立て式とし、透明前面板の枠は取付けた状態で組物ゲージを挿入するために、パチンコ遊技台本体の上下に固定ベルト２４を回した状態を説明する模式図である。
図５は、図１のように透明前面板を開いた状態で、基台２５ではパチンコ盤面１０に挿入することが出来ない機種のパチンコ釘９の測定や修正を可能にし、総てのパチンコ遊技台を２次元を同時に行うことが可能な組物ゲージを提供する方法を説明するものである。
【００２４】
具体的には、基台２５を取り外し、保持枠１、スライドレール２、スライドレール溝４、スライド台６を組立て式とし、パチンコ盤面１０に取付ける。
このような基台２５が装着できないパチンコ盤面１０の特徴は形状が一様でないために、透明前面板を上部へ引き抜き、透明前面板の枠は取付けた状態で挿入するため、組物ゲージを組み込んだパチンコ盤面１０の上下に鉢巻状に回したベルト２４の両端をパチンコ遊技機の側面の板溝（図示されない）に固定する両端フック付の固定ベルト２４を取入れる。
【００２５】
基台２５を外したことで新たにパチンコ盤面１０に固定する方法が必要となる。
図６は、組立て式の組物ゲージの平面図である。
図８は、固定金具２５を使用して、パチンコ釘９とスライドレール２を固定する状態を説明する断面図である。
図８−（イ）は固定金具２５の斜視図であり、（ロ）はスライドレール２をパチンコ盤面１０のパチンコ釘９に固定金具２５によって取付けた状態を示す断面図である。
【００２６】
図８において、固定金具２５は釘頭フック２６を設けたシャフト２９にネジ切り３０が立ててあり、ネジ３０の下部にはスプリング２７を取付け、スライドレール２と釘頭３５を固定した時のクッションの役目をしている。
Ｚ型をした固定金具２５は、シャフト２９を安定して固定するため、スプリング・シャフト挿入口２８を設けることで固定金具のＺ型の力点が更に保てる構造となる。
【００２７】
【発明の効果】
パチンコ遊技台が新品と中古品とを問わず、また種々ある盤面の形状に拘らず、パチンコ釘を測定或は修正する時に、スライドレールや複合分度盤付スライド台を上下・左右にスライドすることによって、任意の角度を選定し、上下方向と水平方向を同時に計測することを可能にした。
【図面の簡単な説明】
【図１】  スライドレールとスライド台の側面部に取付けた複合分度盤付きスライド脚からなる組物ゲージを、パチンコ遊技盤のパチンコ透明前面板を開き嵌め込んだ正面図である。
【図２】  該組物ゲージを拡大した正面図である。
【図３】−（イ）は、スライド台の側面部に取付けた本発明による組物ゲージの使用状態を示す断面図である。
【図３】−（ロ）は、本発明による組物ゲージの高さを保持するための保持レールの斜視図であり、（ハ）は保持レールに取付ける支持稈の構造を示す斜視図である。
【図４】−（イ）は、スライド台の表面部に取付けた本発明による複合分度盤付きスライド台とスライドレールからなる組物ゲージの斜視図であり、（ロ）は、本発明による複合分度盤付きスライド脚を示す斜視図である。
【図５】  本発明の組物ゲージを組立て式とし、透明前面板の枠は取付けた状態で組物ゲージを挿入するために、パチンコ遊技台本体の上下に固定ベルトを回した状態を説明する模式図である。
【図６】  本発明による組立式の組物ゲージの平面図である。
【図７】  固定金具を使用して、パチンコ釘とスライドレールを固定する状態を説明する断面図である。
【図８】−（イ）は固定金具の斜視図であり、（ロ）はスライドレールをパチンコ盤面のパチンコ釘に取付けた状態を示す断面図である。
【符号の説明】
１  保持枠
２  スライドレール
３  保持レール
４  スライドレール溝
５  保持レール溝
６  スライド台
６ａ  スライド台の表面部
６ｂ  スライド台の側部
７  水平分度盤
８  支持捍
９  複合分度盤付きスライド脚
１０  パチンコ盤面
１１  スライド溝
１２  ストッパ
１３  垂直分度盤
１４  挟持リング
１５  角度指示印
１６  スライド脚
１７  把手
１８  スライド枠
１９  蝶ネジ
２０  ネジ
２１  スライド部
２２  連結部
２３  基台
２４  固定ベルト
２５  固定金具
２６  釘頭フック
２７  スプリング
２８  シャフト挿入口
２９  シャフト
３０  ネジ切り
３１  度数目盛り
３３  スリット
３４  上板
３５  釘頭
【手続補正２】
【補正対象書類名】図面
【補正対象項目名】全図
【補正方法】変更
【補正の内容】
【図１】
2002272932.tif 000001
【図２】
2002272932.tif 000002
【図３】
2002272932.tif 000003
【図４】
2002272932.tif 000004
【図５】
2002272932.tif 000005
【図６】
2002272932.tif 000006
【図７】
2002272932.tif 000007
【図８】
2002272932.tif 000008